(57)【特許請求の範囲】
【請求項１】
(Ａ)給水弁を備えたボールタップ本体と、洗浄タンク内の洗浄水の水位に連動して昇降するフロートと、該フロートと該給水弁とを連繋する連繋アームとを備え、該フロートの下降により該給水弁を開いて洗浄タンク内に給水を行い、該洗浄タンク内の洗浄水が設定した満水状態となったとき、前記フロートの上昇により前記給水弁を閉じて給水停止させるボールタップ装置、及び(Ｂ)前記給水弁の１次側から分岐して延び出した流動水路と、該流動水路を開閉する流動弁とを備え、該流動弁の開弁により該１次側の水を該流動水路の末端の流動水吐水口から前記洗浄タンク内に吐水する流動弁装置を備えて成るタンク内給水装置において、
前記ボールタップ本体には、内側に前記流動水路を形成するための筒壁を上向きに起立状態に具備させて、該筒壁に且つ該筒壁における付根位置よりも上側位置に前記流動水吐水口を該筒壁を貫通して横向きに設けるとともに、該流動水吐水口から径方向に離隔した位置で該流動水吐水口を外側から覆い、該流動水吐水口から吐水された流動水に当って該流動水を下向きの流れとし且つ少なくとも一部を前記筒壁の外面に向う流れとして該流動水を該筒壁の外面を伝って流下させるカバー壁が設けてあり、
前記流動弁は前記給水弁とは独立して動作可能に設けてあり、凍結防止を図る必要があるときには、該流動弁の開弁により小量の水が前記流動水路を流れて、前記流動吐水口から連続的に前記洗浄タンク内に吐水されることを特徴とするタンク内給水装置。
【請求項２】
請求項１において、前記流動弁装置の操作部が、可撓性且つ非伸縮性の長尺のインナ部材及び該インナ部材を移動案内するアウタチューブを有する操作力の伝達部材を備えた遠隔操作式のもので、該伝達部材の先端側が組付ナットにて前記流動弁に組み付けられており、前記カバー壁が該組付ナットに一体に構成してあることを特徴とするタンク内給水装置。
【請求項３】
請求項１，２の何れかにおいて、前記連繋アームは、前記ボールタップ本体の前記筒壁とは反対側の下側部位から延出していることを特徴とするタンク内給水装置。
【請求項４】
請求項１〜３の何れかにおいて、前記ボールタップ本体には、前記流動水吐水口の下側位置で前記カバー壁よりも径方向外側まで突出し、該カバー壁にて下向きの流れとされた前記流動水を該下側位置で受ける水受部が設けてあることを特徴とするタンク内給水装置。
【請求項５】
請求項４において、前記水受部の少なくとも一部が、前記連繋アームを前記ボールタップ本体に固定する固定ナットであることを特徴とするタンク内給水装置。
【発明の詳細な説明】
【技術分野】
【０００１】
この発明は便器洗浄用の洗浄タンク内に給水を行うタンク内給水装置に関し、詳しくはボールタップ装置と流動弁装置とを備えて成るタンク内給水装置に関する。
【背景技術】
【０００２】
従来、便器の洗浄水を内部に貯える洗浄タンクへの給水装置として、給水弁を備えたボールタップ本体と、洗浄タンク内の洗浄水の水位に連動して昇降するフロートと、フロートと給水弁とを連繋する連繋アームとを備え、フロートの下降により給水弁を開いて洗浄タンク内に給水を行い、洗浄タンク内の洗浄水が設定した満水状態となったとき、フロートの上昇により給水弁を閉じて給水停止するボールタップ装置を備えたものが広く用いられている。
【０００３】
ところで、寒冷地においては配管内や便器のトラップ部の水が凍結を起す問題があり、そこで寒冷地に用いられるタンク内給水装置としては、小量で水を連続的に流して便器に給水する流動弁を備えたものが用いられている。
【０００４】
例えば下記特許文献１には、洗浄タンク内に貯溜されている洗浄水中に水没する状態で、洗浄水をタンク底部の排水弁の下流部位に導くホースを設けて、そのホースに流動弁を取り付け、流動弁の開弁により洗浄タンク内の洗浄水を連続的に便器に向けて小量で連続供給するようになしたものが開示されている。
【０００５】
このタンク内給水装置では、流動弁を経由して洗浄水が流れ、洗浄タンク内の洗浄水が減少して水位が所定水位まで下がると、ボールタップ装置が給水弁を開いて洗浄タンク内に給水を行う。そしてその給水により洗浄タンク内の洗浄水が満水状態になると、そこで給水弁を閉じて給水停止する。そしてこれを間欠的に繰り返し行って減少したタンク内洗浄水を補給する。
このため給水弁を開いて多量の水を一度に洗浄タンク内に給水するごとに大きな音が発生し、これが騒音となってしまう問題を生ずる。
【０００６】
これに対し、ボールタップ装置の給水弁の１次側から流動水路を分岐して延び出させて、その流動水路に流動弁を設け、流動弁の開弁により１次側の水を連続的に小量で洗浄タンク内に給水し、そして給水した水をタンク内のオーバーフロー管を通じて便器に連続的に給水することも行われている。
【０００７】
例えば下記特許文献２に、この種給水方式のタンク内給水装置が開示されている。
この特許文献２に開示のタンク内給水装置では、ボールタップ装置における給水弁の１次側の水を便器に連続供給するため、即ち洗浄タンク内の洗浄水は便器への給水によって減少しないために、ボールタップ装置の給水弁が間欠的に給水及び給水停止を繰り返すことはなく、従ってその際に騒音を発生する問題は生じない。
【０００８】
しかしながら一方で、流動水路の末端の流動水吐水口から吐水された水は洗浄タンク内に貯えられている洗浄水の水面に給水されるため、その際に着水音が発生して、これが騒音になってしまうといった問題を生ずる。
しかも流動水は連続して洗浄タンク内の水面に落下し続けるため着水音が連続的に発生してしまう。
【先行技術文献】
【特許文献】
【０００９】
【特許文献１】特開平１１−３２４０６０号公報
【特許文献２】特開２００５−２１３９０６号公報
【発明の概要】
【発明が解決しようとする課題】
【００１０】
本発明は以上のような事情を背景とし、ボールタップ装置における給水弁の１次側からの水を流動弁の開弁により洗浄タンク内に給水する場合において、流動弁を経て流動吐水口から吐水された水が洗浄タンク内の洗浄水に給水される際の着水音を可及的に小さくし、その際に発生する騒音を低減することのできるタンク内給水装置を提供することを目的としてなされたものである。
【課題を解決するための手段】
【００１１】
而して請求項１のものは、(Ａ)給水弁を備えたボールタップ本体と、洗浄タンク内の洗浄水の水位に連動して昇降するフロートと、該フロートと該給水弁とを連繋する連繋アームとを備え、該フロートの下降により該給水弁を開いて洗浄タンク内に給水を行い、該洗浄タンク内の洗浄水が設定した満水状態となったとき、前記フロートの上昇により前記給水弁を閉じて給水停止させるボールタップ装置、及び(Ｂ)前記給水弁の１次側から分岐して延び出した流動水路と、該流動水路を開閉する流動弁とを備え、該流動弁の開弁により該１次側の水を該流動水路の末端の流動水吐水口から前記洗浄タンク内に吐水する流動弁装置を備えて成るタンク内給水装置において、前記ボールタップ本体には、内側に前記流動水路を形成するための筒壁を上向きに起立状態に具備させて、該筒壁に且つ該筒壁における付根位置よりも上側位置に前記流動水吐水口を該筒壁を貫通して横向きに設けるとともに、該流動水吐水口から径方向に離隔した位置で該流動水吐水口を外側から覆い、該流動水吐水口から吐水された流動水に当って該流動水を下向きの流れとし且つ少なくとも一部を前記筒壁の外面に向う流れとして該流動水を該筒壁の外面を伝って流下させるカバー壁が設けてあり、前記流動弁は前記給水弁とは独立して動作可能に設けてあり、凍結防止を図る必要があるときには、該流動弁の開弁により小量の水が前記流動水路を流れて、前記流動吐水口から連続的に前記洗浄タンク内に吐水されることを特徴とする。
【００１２】
請求項２のものは、請求項１において、前記流動弁装置の操作部が、可撓性且つ非伸縮性の長尺のインナ部材及び該インナ部材を移動案内するアウタチューブを有する操作力の伝達部材を備えた遠隔操作式のもので、該伝達部材の先端側が組付ナットにて前記流動弁に組み付けられており、前記カバー壁が該組付ナットに一体に構成してあることを特徴とする。
【００１３】
請求項３のものは、請求項１，２の何れかにおいて、前記連繋アームは、前記ボールタップ本体の前記筒壁とは反対側の下側部位から延出していることを特徴とする。
【００１４】
請求項４のものは、請求項１〜３の何れかにおいて、前記ボールタップ本体には、前記流動水吐水口の下側位置で前記カバー壁よりも径方向外側まで突出し、該カバー壁にて下向きの流れとされた前記流動水を該下側位置で受ける水受部が設けてあることを特徴とする。
【００１５】
請求項５のものは、請求項４において、前記水受部の少なくとも一部が、前記連繋アームを前記ボールタップ本体に固定する固定ナットであることを特徴とする。
【発明の作用・効果】
【００１６】
以上のように本発明は、内側に流動水路を形成するための筒壁を上向きに起立状態にボールタップ本体に具備させて、その筒壁に流動水吐水口を横向きに設けるとともに、流動水吐水口から径方向に離隔した位置で流動水吐水口を外側から覆い、流動水吐水口から吐出された流動水に当って流動水を下向きの流れとし且つ少なくとも一部を筒壁の外面に向う流れとしてこれを筒壁の外面を伝って流下させるカバー壁を設けたものである。
【００１７】
上記のカバー壁を設けていない場合、横向きをなす流動水吐水口から吐水された流動水は、特にその流動水吐水口が小さいときには勢い良く横向きに吐水された後放物線を描いて洗浄タンク内の洗浄水の水面に落下する。そのときの大きな着水音を生じてしまう。
【００１８】
しかるに本発明のタンク内給水装置にあっては、流動水吐水口に対向するようにして、これを外側から覆うカバー壁が設けてあるため、流動水吐水口から吐水された流動水は一旦そのカバー壁に当り、その後下向きに流れの向きを変えつつカバー壁に当った反力で筒壁の外面側に戻され、以後その筒壁の外面を伝って下向きに流下する。
【００１９】
これにより、流動水吐水口から吐水された流動水の全体を洗浄タンク内の洗浄水の水面に直接落下させた場合に比べて、流動水による着水音を効果的に低減することができる。
尚、流動水吐水口から吐水された流動水の全体を筒壁の外面を伝って流下させたときに最も効果的に着水音を低減できるが、場合によって流動水吐水口から吐出された流動水の一部が、カバー壁に当った後に筒壁の外面を伝わずにそのまま下向きに落下する場合も生じ得る。
但しこの場合においても、流動水吐水口から吐水された流動水の全体がそのまま直接水面に落下する場合に比べて着水音は小さくなる。
【００２０】
本発明では、流動弁装置の操作部を、可撓性且つ非伸縮性の長尺のインナ部材及びインナ部材を移動案内するアウタチューブを有する操作力の伝達部材を備えた遠隔操作式のものとなして、その伝達部材の先端側を流動弁に組み付ける組付ナットに、上記のカバー壁を一体に構成しておくことができる（請求項２）。
このようにすることで、装置の所要部品点数を少なくすることができ、装置コストを低減することができる。
【００２１】
本発明では、上記ボールタップ装置における連繋アームを、ボールタップ本体の上記筒壁とは反対側の下側部位から延出させておくことができる（請求項３）。
このようにしておけば、ボールタップ本体の上記の筒壁を伝って流下した水を、更にボールタップ装置における連繋アーム及び連繋アームに取り付けられているフロートを伝って流下させることができ、流動水吐水口から吐水された水を、洗浄タンク内の洗浄水の水面に静かに流入させることができ、流動水の着水音をより一層効果高く低減でき、静粛性を高めることができる。
【００２２】
本発明では、上記流動水吐水口の下側位置でカバー壁よりも径方向外側まで突出し、カバー壁にて下向きの流れとされた流動水を下位置で受ける水受部をボールタップ本体に設けておくことができる（請求項４）。
【００２３】
このようにしておけば、流動水吐水口から吐水された水がたとえ筒壁の外面を伝って流れずに、そのまま落下した場合であっても、その落下した水が直接タンク内の洗浄水の水面に落下せず、一旦水受部で受けられてそこで勢いが殺されるため、その後に水受部で受けた水が水面に落下することがあっても着水音を小さくすることができる。
またその水受部はボールタップ本体に設けてあるため、水受部で受けた水を、ボールタップ本体を更に伝って下向きに流すことができ、着水音をより一層低減できる。
【００２４】
この場合において、水受部の少なくとも一部を、上記連繋アームをボールタップ本体に固定するための固定ナットにて構成しておくことができる（請求項５）。
このような固定ナットを水受部の少なくとも一部とすることで、ボールタップ装置に備えられている部品を、着水音低減のための部材として有効に活用することができるとともに、水受部で受けた水をボールタップ装置における連繋アームへと円滑に案内でき、かかる連繋アームを伝って流動水を流下させるようになすことができる。
【図面の簡単な説明】
【００２５】
【図１】本発明の一実施形態であるタンク内給水装置を洗浄タンクの内部構造とともに示した図である。
【図２】同実施形態のタンク内給水装置を示した図である。
【図３】同実施形態におけるボールタップ装置の給水弁と周辺部を示した図である。
【図４】図３の給水弁を閉弁状態と開弁状態とで示した図である。
【図５】同実施形態のタンク内給水装置の要部を拡大して示した図である。
【図６】同実施形態における流動弁装置の操作部の要部を示した図である。
【図７】同実施形態の要部を図５とは異なる方向から示した図である。
【図８】同実施形態の作用説明図である。
【図９】同実施形態の利点を比較例と比較して示した図である。
【発明を実施するための形態】
【００２６】
次に本発明の実施形態を図面に基づいて詳しく説明する。
図１において、１０は洗浄タンクで樹脂製のアウタタンク１２と、その内側の樹脂製のインナタンク１４との２重タンク構造をなしている。
アウタタンク１２の上部には、その蓋を兼用した樹脂製の手洗鉢１６が設けられており、この手洗鉢１６から起立する形態で手洗吐水管１８が手洗鉢１６に設けられている。
手洗鉢１６の底部には排水口２０が設けられており、手洗吐水管１８から吐水された手洗水が、この排水口２０から洗浄タンク１０内部へと落下する。
【００２７】
２２は、洗浄タンク１０内部に配設されたボールタップ装置で、ボールタップ本体２４を有しており、そのボールタップ本体２４がインナタンク１４に取り付けられ、そしてそのボールタップ本体２４に対して給水管２６が接続されている。
給水管２６を通じて供給された水は、ボールタップ装置２２の後述の図２に示す給水弁５８の開弁によって洗浄タンク１０内部に給水され、また給水弁５８の閉弁によって給水停止される。
【００２８】
ボールタップ装置２２は、洗浄タンク１０内部の洗浄水の水位に連動して昇降するフロート２８と、フロート２８と給水弁５８とを連繋する連繋アーム３０とを有している（フロート２８及び連繋アーム３０は何れも樹脂製）。
また連繋アーム３０は、アーム部３２と、その先端から下向きに延びる軸部３４とを有しており、その軸部３４に対してフロート２８が組み付けられている。
【００２９】
洗浄タンク１０の壁部には、洗浄ハンドル３６が回転可能に設けられている。
３８は、洗浄タンク１０内部において洗浄ハンドル３６に連動して回動する、Ｌ字状をなす作用レバーで、その先端が鎖４０を介して図示を省略する排水弁に連結されている。
その排水弁は、洗浄ハンドル３６の回転操作によって閉弁状態から開弁させられ、これにより洗浄タンク１０内部に貯えられている洗浄水が、洗浄タンク１０底部の排出口から便器に向けて勢い良く排出せしめられる。
【００３０】
図２において、４４はボールタップ本体２４の本体ボデーで全体として筒状をなしている。
この本体ボデー４４の図２中左端部には図１の給水管２６が接続され、また右端部には、本体ボデー４４とは別体をなし且つボールタップ本体２４の一部を成す筒状のソケット状の分岐管４６の左端部が外嵌状態に接続されている。
更にこの分岐管４６の図中右端部には、補給水管４８が接続されている。
補給水管４８は便器に補給水を供給するためのもので、図１に示しているようにその先端側がアダプタを介して洗浄タンク１０内部のオーバーフロー管４２に組み付けられ、補給水管４８からの補給水がオーバーフロー管４２内に流入するようになっている。
この実施形態において、補給水管４８はゴムチューブから成っている。
【００３１】
分岐管４６には、本体ボデー４４からの水を洗浄タンク、具体的にはインナタンク１４内に吐水する筒状のタンク内吐水口５０と、図１の手洗吐水管１８に向けて供給するための筒状の手洗用給水口５２とが斜め下向きに一体に設けられている。
この実施形態では、手洗用給水口５２に対して、本体ボデー４４からの水を図１に示す手洗吐水管１８に導くための導水管５４の一端側が接続されている。
ここで導水管５４は蛇腹管から成っており、その先端側が手洗吐水管１８に接続されている。
【００３２】
尚、洗浄タンク１０には図１の洗浄タンク１０のように手洗吐水管１８を備えたものと、手洗吐水管１８を備えていないものとがあり、而して洗浄タンク１０が手洗吐水管１８を備えていない場合には、手洗用給水口５２に対して導水管５４を接続しないで手洗用給水口５２をそのまま開放しておく。
【００３３】
即ちこの実施形態では、手洗吐水管１８を備えている場合には手洗用給水口５２に導水管５４を接続し、また手洗吐水管１８を備えていない場合には手洗用給水口５２に導水管５４を接続せず、手洗用給水口５２をそのまま開放状態としておくことで、手洗吐水管１８有りのものと無しのものとに対して容易に対応することができる。
【００３４】
而して手洗用給水口５２をそのまま開放しておく場合には、本体ボデー４４からの水はタンク内吐水口５０と手洗用給水口５２との両方とから洗浄タンク１０内に吐水される。
この場合には、手洗用給水口５２が洗浄タンク内に水を吐水する第２のタンク内吐水口となる。
【００３５】
図２に示しているように、ボールタップ本体２４には水路５６を連通及び連通遮断する給水弁５８が設けられている。この給水弁５８は、フロート２８の昇降に伴って連繋アーム３０が軸６０周りに回動することで開弁及び閉弁せしめられる。
具体的には、フロート２８の上昇により連繋アーム３０が軸６０周りに反時計回りに回動することで、給水弁５８が閉弁せしめられ、またフロート２８の下降に伴って連繋アーム３０が軸６０周りに図中時計回りに回動運動することで、給水弁５８が開弁せしめられる。
【００３６】
而して給水弁５８が開弁すると水路５６が連通状態即ち開放状態となって、給水管２６からの水が本体ボデー４４から分岐管４６へと流れ込み、そしてその分岐管４６のタンク内吐水口５０から洗浄タンク１０内に向けて吐水され、また手洗用給水口５２を通じて手洗吐水管１８に（手洗吐水管１８がある場合）、或いは手洗用給水口５２を通じて洗浄タンク１０内に吐水される（手洗吐水管１８を備えていない場合）。
また分岐管４６に流れ込んだ水が、更に補給水管４８を通じてオーバーフロー管４２から便器へと流れ込み、便器に対して補給水が供給される。
【００３７】
本実施形態において、給水弁５８はダイヤフラム式且つパイロット式の弁とされている。
図３に、その構成が具体的に示してある。
図３において、６２は給水弁５８における主弁体でダイヤフラム弁体から成っている。
この主弁体６２は、ゴム等の弾性材から成るダイヤフラム膜６６と、これよりも硬質の（ここでは樹脂製）ダイヤフラムホルダ６８とから成っている。
【００３８】
ダイヤフラム膜６６は外周部７０が厚肉とされており、この外周部７０が、本体ボデー４４とカップ状をなすダイヤフラム押え７２とによって上下に挟持されている。そしてそれらによる挟持によってダイヤフラム膜６６の外周部７０が、本体ボデー４４に固定されている。
ここでダイヤフラム膜６６の外周部７０は同時にシール部としての働き、即ち水路５６と外部とを水密に遮断し、シールする働きをなしている。
【００３９】
このカップ状をなすダイヤフラム押え７２は、本体ボデー４４に一体に構成された円筒部７４に対して、図中下側から上向きに内嵌状態に嵌入せしめられ、そして円筒部７４の外周面の雄ねじ７６に対して、固定ナット８０の内周面の雌ねじ７８が螺合されることによって、ダイヤフラム押え７２が円筒部７４に即ち本体ボデー４４に固定されている。
【００４０】
即ちこの実施形態では、固定ナット８０を図中上向きにねじ込むことで、円筒部７４に内嵌状態に嵌入されたダイヤフラム押え７２が上向きに押し上げられて、かかるダイヤフラム押え７２が本体ボデー４４と協働してダイヤフラム膜６６の外周部７０を所定の締代で弾性圧縮状態に締め付ける構造となっている。
【００４１】
カップ状をなすダイヤフラム押え７２は、背圧室形成部材としての働きも有しており、ダイヤフラム弁体から成る主弁体６２の図中下側の背後に背圧室８２を形成している。
この背圧室８２は内部の圧力を主弁体６２に対して図中上向きの閉弁方向の押圧力として作用させる。
【００４２】
一方、主弁体６２には中心から偏心した位置において、水路５６における１次側と背圧室８２とを連通させる貫通の導入小孔８４が設けられている。
この導入小孔８４は、水路５６における１次側の水を背圧室８２に流入させて背圧室８２の圧力を増大させる働きをなす。
【００４３】
一方、ダイヤフラム押え７２にはその中心部にこれを貫通する水抜水路としてのパイロット水路８６が設けられている。
このパイロット水路８６は、背圧室８２内の水を抜いて背圧室８２の圧力を減少させる働きをなす。
【００４４】
上記連繋アーム３０のアーム部３２の基端部にはパイロット弁体８８が設けられ、このパイロット弁体８８のシール部９０がパイロット弁座９２に上向きに着座することでパイロット水路８６が閉鎖される。
【００４５】
この実施形態において、給水弁５８は次のように作用する。
即ち、図４（Ａ）に示すように給水弁５８が閉弁状態の下で、図２のフロート２８の下降により連繋アーム３０が軸６０周りに回動してパイロット弁体８８がパイロット弁座９２から図中下向きに離間し開弁すると、図３の背圧室８２内の水がパイロット水路８６を通じて流出し、背圧室８２の圧力が減少する。
すると水路５６における１次側の圧力が背圧室８２の圧力に打ち勝つに到って、主弁体６２が図３（Ａ）及び図４（Ａ）に示す状態から下向きに離間し開弁する。
【００４６】
そして主弁体６２が開弁することで水路５６が連通状態となり、本体ボデー４４から図２の分岐管４６及び補給水管４８に向けて水が流れ込む。
ここにおいてタンク内吐水口５０，手洗用給水口５２から水が吐出され、更に補給水管４８を通じてオーバーフロー管４２から便器内に補給水が供給される。
【００４７】
一方、フロート２８の上昇に連動して連繋アーム３０が図２の軸６０周りに反時計回りに回動運動すると、フロート２８が上昇端に到ったところで、即ち洗浄タンク内の水が設定した満水状態になったところでパイロット弁体８８のシール部９０がパイロット弁座９２に上向きに着座して閉弁し、ここにおいて背圧室８２からの水の流出が停止する。
【００４８】
すると導入小孔８４を通じての背圧室８２への水の流入により背圧室８２の圧力が上昇し、そしてその圧力上昇によってダイヤフラム弁から成る主弁体６２が主弁座６４に上向きに着座し、閉弁する。
ここにおいて水路５６の水の流れが停止し、洗浄タンク１０及び手洗吐水管１８への給水が停止する。
【００４９】
図３（Ａ）及び図４に示しているように、背圧室８２の内部には金属製のコイルばね９５が設けられている。
コイルばね９５は、その上端を主弁体６２に当接させ、またその下端をダイヤフラム押え７２の底部に当接させている。
【００５０】
コイルばね９５の図中下端からは上向きにクリーニングピン９７が延び出しており、このクリーニングピン９７が、主弁体６２における上記の導入小孔８４を挿通して上向きに突き出している。
このクリーニングピン９７は、主弁体６２が図３及び図４中上下に移動する際に導入小孔８４内を相対摺動運動して、導入小孔８４内に微細なゴミや異物が詰まるのを防止する働きを有している。
この実施形態において、クリーニングピン９７はコイルばね９５の下端から図中上向きにストレート形状で延びた後、主弁体６２の上側で僅かに折り曲げられている。図中９８はその折曲部を表している。
【００５１】
図５において、１００は本実施形態のタンク内給水装置における流動弁装置で、水路５６における給水弁５８よりも上流側の１次側から分岐して延び出す流動水路１０２と、これを内側に形成するための円筒状の筒壁１０４を有している。図７において、１０８はその流動水路１０２の分岐口を表している。
ここで筒壁１０４は、上向きに起立する形態でボールタップ本体２４、詳しくは本体ボデー４４に一体に構成されている。
【００５２】
図７において、１０６は流動水路１０２の末端の流動水吐水口で、筒壁１０４の付根よりも所定距離上側位置で、筒壁１０４を貫通して横向き（径方向外向き）に設けられている。
流動水路１０２に導かれた１次側の水は、後述の流動弁１１０の開弁により、この流動水吐水口１０６から小量で連続して洗浄タンク１０内に供給される。
供給された流動水は洗浄タンク１０内のオーバーフロー管４２を通じて便器へと連続的に給水される。
【００５３】
筒壁１０４の内部には、流動水路１０２を開閉する流動弁１１０が設けられている。
流動弁１１０は、円筒形状の弁ハウジング１１２と、軸状の弁体１１４とを有しており、その弁ハウジング１１２が、筒壁１０４の内部に嵌合状態に固定されている。
またこの弁ハウジング１１２の内部に、弁体１１４が軸方向（上下方向）に摺動可能に嵌合されている。
【００５４】
ここで弁ハウジング１１２と筒壁１０４との間はＯリング１１６にて水密にシールされ、また弁体１１４と弁ハウジング１１２との間はＯリング１１８にて水密にシールされている。
尚、弁ハウジング１１２の下端部の内側には、流動水路１０２に流入する１次側の水の流れを定流量化する定流量弁１２０が設けられている。
【００５５】
この流動弁１１０における弁ハウジング１１２の外面と筒壁１０４の外面とには、それぞれ係合溝１３２，１３４が設けられており、それら係合溝１３２，１３４にまたがって平面形状が略Ｕ字状をなす固定クリップ１３６が嵌め込まれている。
弁ハウジング１１２は、この固定クリップ１３６により筒壁１０４に対し軸方向（上下方向）に固定されている。
【００５６】
軸状をなす弁体１１４は下端側に弁部１２２を、上端側に連結部１２４を有し、その連結部１２４に対して後述の操作部１３８における伝達部材１４２の先端部、詳しくはインナケーブル１４４の先端部が連結されている。
図中１３０は、その下端側の弁部１２２と上端側の連結部１２４との間の中間部を表しており、この中間部１３０は横断面形状が十字状をなしている。
【００５７】
下端側の弁部１２２は、円環状のシール部材１２６を有している。
弁部１２２は、このシール部材１２６を弁ハウジング１１２の内周側に形成された弁座１２８に水密に嵌合させることで閉弁する。
また一方、弁体１１４が図中下向きに前進移動し、シール部材１２６が弁座１２８から下向きに離間することで開弁する。その開弁状態において流動水路１０２が開放され、水路５６における１次側から流動水路１０２に流入した水（流動水）が上記の流動水吐水口１０６から外部に吐水される。
【００５８】
図５において、１３８は流動弁装置１００における操作部で、この操作部１３８は、図６に示しているように操作力の入力部となる回転式の摘み１４０と、加えられた操作力を流動弁１１０に、詳しくは弁体１１４に伝達して、これを図５，図６中上下方向に進退移動させる伝達部材１４２とを有している。
【００５９】
伝達部材１４２は、可撓性を有し且つ軸方向に非伸縮性のインナケーブル（インナ部材）１４４と、これを移動案内するアウタケーブル（アウタチューブ）１４６とを有しており、そのアウタケーブル１４６内部にインナケーブル１４４が摺動可能に挿通されている。
【００６０】
図６において、１４８は摘み１４０を保持する保持筒でフランジ部１５０を有しており、そのフランジ部１５０と、保持筒１４８の先端部の雄ねじ部１５２に螺合されたナット１５４とで、リング状の中間部材１５６を介しタンク１２の側壁１２Ｗを内外両側から挟み付ける状態に、タンク１２の側壁１２Ｗに固定されている。
この保持筒１４８は内周面に雌ねじ１５８を有し、また一方摘み１４０の外周には雄ねじ１６０が設けられていて、それらが螺合されている。
摘み１４０は、回転によりねじ送りで図６中左右方向に前進後退移動せしめられる。
【００６１】
上記インナケーブル１４４の図中左端部には、大径の端部材１６２が固定されており、この端部材１６２が摘み１４０の図中右側の端面に当接せしめられている。
１６４は、摘み１４０とともに端部材１６２を図中左右方向に挟持する挟持部材で筒状をなしており、その左端側には爪１６６が設けられていて、この爪１６６が、摘み１４０に形成された係合孔１６８に弾性的に係合せしめられている。
【００６２】
この状態で、端部材１６２は摘み１４０と挟持部材１６４とで挟持された状態となり、摘み１４０と挟持部材１６４とが一体に図６中左右方向に進退移動したとき、インナケーブル１４４がともに左右方向に進退移動せしめられる。
【００６３】
尚アウタケーブル１４２は、図中左端部が筒状の固定部材１７０を介して保持筒１４８に固定状態とされている。
また固定部材１７０は、図中左端のフランジ部１７２と止め輪１７４とで保持筒１４８の図中右端部を挟持する状態に、保持筒１４８に固定されている。
【００６４】
伝達部材１４２は、図５に示しているように右端側（先端側）が曲り管１７６の内部に挿入されており、伝達部材１４２の先端部が、曲り管１７６によって図中下向きに保持された状態で組付ナット１７８により流動弁１１０に組み付けられている。
【００６５】
詳しくは、組付ナット１７８の雌ねじ部１８０が、流動弁１１０における弁ハウジング１１２の雄ねじ部１８２にねじ込まれることで、アウタケーブル１４６の下端を受ける受部材１８４のフランジ部と、曲り管１７６のフランジ部とが組付ナット１７８の内向きのフランジ部１８６と弁ハウジング１１２とで上下に挟持され、そしてそのことによって受部材１８４と曲り管１７６の下端部とが固定され、併せてアウタケーブル１４６の下端が弁ハウジング１１２に固定されている。
またインナケーブル１４４に固定された端部材１８８が、流動弁１１０における弁体１１４の係合凹部１９０に係合されることで、インナケーブル１４４の先端部が弁体１１４に一体移動状態に固定され、連結されている。
【００６６】
この実施形態では、図６の摘み１４０を回転させて同図中右向きに前進させると、伝達部材１４２におけるインナケーブル１４４が右向きに押し出されて、図５の下端部が流動弁１１０の弁体１１４を図中下向きに押し出し、これを開弁させる。
すると水路５６における１次側の水が流動水路１０２に流れ込んで流動水路１０２を流通し、そして末端の図７に示す流動水吐水口１０６から外部に吐水される。
【００６７】
一方、摘み１４０を上記とは逆方向に回転させてこれを図６中左向きに後退させると、インナケーブル１４４が同図において左向きに引き込まれ、弁体１１４が図５において上向きに後退移動せしめられる。そして弁体１１４が後退移動することによって、弁部１２２のシール部材１２６が弁ハウジング１１２の弁座１２８に水密に嵌合した状態となり、ここにおいて弁部１２２が閉弁する。
但し凍結防止を図る必要があるときには弁体１１４は開弁状態に維持され、従って水路５６における１次側の水は小量で連続的に流動水路１０２を流れて、流動吐水口１０６から連続的に洗浄タンク１０内に吐水される。
【００６８】
本実施形態において、上記組付ナット１７８には、下向きに垂下して上記流動水吐水口１０６から径方向に離隔した位置で流動水吐水口１０６に対向し、これを外側から覆う円筒状のカバー壁１９２が一体に構成されている。
ここでカバー壁１９２は、流動水吐水口１０６よりも下側まで延びており、上記筒壁１０４との間に下向きの開口を形成している。
【００６９】
このカバー壁１９２は次のような働きを有する。
このようなカバー壁１９２が設けられていないと、図９（Ｂ）の比較例図に示しているように、流動水吐水口１０６からの水は横向きに噴き出して、以後放物線を描きながら洗浄タンク１０内の洗浄水中に落下する。そのときに大きな着水音を発生させてしまう。
【００７０】
しかるにこの実施形態ではカバー壁１９２が流動水吐水口１０６を径方向に離隔した位置で外側から覆っているため、流動水吐水口１０６から吐水された水は、図８に示しているようにカバー壁１９２に当って下向きの流れに変えられるとともに、カバー壁１９２からの反力で筒壁１０４の外面側に押し返され、筒壁１０４の外面を伝って下向きに流下して行く。
【００７１】
但し場合によってその一部が筒壁１０４の外面には到らずに、カバー壁１９２と筒壁１０４との間の開口からそのまま下向きに落下して行く場合も生ずる。
もっともその量は僅かであるため、筒壁１０４の外面を伝わらないで一部の水が落下して洗浄タンク１０内の洗浄水の水面に着水したとしても着水音は小さい。
【００７２】
但しこの実施形態ではボールタップ装置２２における連繋アーム３０をボールタップ本体２４に固定するための固定ナット８０が、上記組付ナット１７８のカバー壁１９２よりも大径をなしていて、この固定ナット８０がカバー壁１９２よりも径方向外方まで突出しているため、固定ナット８０が、カバー壁１９２と筒壁１０４との間の下向きの開口から筒壁１０４を伝わらないで直接落下した水を受ける水受部として働く。
尚このとき、ボデー４４に一体に構成された上記の円筒部７４もまたその水受部の一部として働く。
従ってこの実施形態では、流動水吐水口１０６から吐水された水がそのまま直接に洗浄タンク内の洗浄水の水面に落下するといったことは殆んど生じない。
【００７３】
本実施形態では更に加えて、ボールタップ本体２４の筒壁１０４とは反対側の下側位置から連繋アーム３０が延び出して、その軸部３４及びフロート２８が洗浄水中に入り込んでいるため、筒壁１０４の外面を伝って流下した水、及びその筒壁１０４の外面を伝わらないで直接下向きに落下した一部の水は、その殆んどがボールタップ装置２２における連繋アーム３０を伝って更に流下して行き、そして連繋アーム３０の軸部３４及びフロート２８を伝いながら洗浄水中に静かに流入して行く。
このとき軸部３４，フロート２８を伝いながら洗浄水中に流入して行く水は着水音を実質発生させない。
【００７４】
以上のような本実施形態のタンク内給水装置にあっては、流動水吐水口１０６に対向するようにして、これを外側から覆うカバー壁１９２によって、流動水吐水口１０６から吐水された水の着水音を効果的に低減することができる。
【００７５】
またそのカバー壁１９２は、伝達部材１４２の先端側を流動弁１１０に組み付ける組付ナット１７８に一体に構成してあるため、装置の所要部品点数を少なくでき、装置コストを低減することができる。
【００７６】
また本実施形態では、ボールタップ装置２２における連繋アーム３０が、ボールタップ本体２４の上記筒壁１０４とは反対側の下側部位から延出しているため、流動水吐水口１０６から吐水された水を連繋アーム３０及びこれに取り付けられたフロート２８を伝って流下させ得て洗浄タンク１０内の洗浄水の水面に静かに流入させることができる。これにより流動水の着水音をより一層効果高く低減でき、静粛性を高めることができる。
【００７７】
更に水受部が固定ナット８０及びボールタップ本体２４の円筒部７４、つまりボールタップ装置２２の構成部分から成っているため、水受部のための特別の部品も要しない。
【００７８】
以上本発明の実施形態を詳述したがこれはあくまで一例示である。
例えば筒壁１０４は垂直に起立している場合の他、少し傾斜して起立していても良いし、また流動水吐水口１０６からの水（流動水）をできる限り筒壁１０４の外面を伝って流下させるようにするため、カバー壁１９２を更に下側まで延びるように設けたり、或いはその下端側に逆テーパ形状部を設けて、カバー壁１９２に当った流動水をその逆テーパ形状部の案内作用で筒壁１０４の外面により積極的に戻すようになすといったことも可能である等、本発明はその趣旨を逸脱しない範囲において種々変更を加えた形態で構成可能である。
【符号の説明】
【００７９】
１０  洗浄タンク
２２  ボールタップ装置
２４  ボールタップ本体
２８  フロート
３０  連繋アーム
５８  給水弁
８０  固定ナット
１００  流動弁装置
１０２  流動水路
１０４  筒壁
１０６  流動水吐水口
１１０  流動弁
１３８  操作部
１４４  インナケーブル（インナ部材）
１４６  アウタケーブル（アウタチューブ）
１７８  組付ナット
１９２  カバー壁
【図１】
0005595075.tif 000002
【図２】
0005595075.tif 000003
【図３】
0005595075.tif 000004
【図４】
0005595075.tif 000005
【図５】
0005595075.tif 000006
【図６】
0005595075.tif 000007
【図７】
0005595075.tif 000008
【図８】
0005595075.tif 000009
【図９】
0005595075.tif 000010